(57)【要約】【課題】誤ってロックを解除することを防止する医療用コネクタを提供する。【解決手段】第１筒状部材１と、第２筒状部材２とからなる医療用コネクタであって、該第１筒状部材１の先端部には、軸方向に突出し、先端部に第１係合孔を備える一対の第１接続片が設けられ、両第１接続片の間の第１筒状部材１の先端部には、一対の第１案内溝部が形成され、両第１案内溝部の後部には、先端部に第１突起部を備える一対の第１係合片が第１支持部を介して揺動自在に設けられ、前記第２筒状部材２の先端部には、軸方向に突出し、先端部に第２係合孔を備える一対の第２接続片が設けられ、両第２接続片の間の第２筒状部材２の先端部には、一対の第２案内溝部が設けられ、両第２案内溝部の後部には、先端部に第２突起部を備える一対の第２係合片が第２支持部を介して第２筒状部材２の基端部に揺動自在に設けられる。【選択図】  図１
2004167105.tif 000002
【特許請求の範囲】
【請求項１】
留置針などが接続されたチューブを基端に備える第１筒状部材と、輸液バックなどが接続されたチューブを基端に備える第２筒状部材とからなる医療用コネクタであって、
該第１筒状部材の先端部外周面には、軸方向に延びて突出し、先端部に第１係合孔を備える一対の第１接続片が設けられ、
両第１接続片の間の第１筒状部材の先端部外周面には、一対の第１案内溝部が形成され、
両第１案内溝部の後部には、先端部内側に第１突起部を備える一対の第１係合片が第１支持部を介して第１筒状部材の基端部外周面に揺動自在に設けられ、
前記第２筒状部材の先端部外周面には、軸方向に延びて突出し、先端部に第１突起部と係合する第２係合孔を備え、両第１案内溝部に案内されながら差し込まれる一対の第２接続片が設けられ、
両第２接続片の間の第２筒状部材の先端部外周面には、第１接続片を案内しながら差込自在な一対の第２案内溝部が設けられ、
両第２案内溝部の後部には、先端部内側に第１係合孔と係合する第２突起部を備える一対の第２係合片が第２支持部を介して第２筒状部材の基端部外周面に揺動自在に設けられ、
第１・第２接続片がそれぞれ第２・第１案内溝部に差し込まれ、第１・第２突起部がそれぞれ第２・第１係合孔と係合することにより、第１・第２筒状部材が互いにロックされ、
各第１・第２係合片の基端部を押圧することにより、各第１・第２支持部を支点として各第１・第２突起部がそれぞれ第２・第１係合孔から抜け出し、ロックが解除されることを特徴とする医療用コネクタ。
【請求項２】
前記第１筒状部材には、スリットを有する弁部材が内部に設けられ、
前記第２筒状部材には、該弁部材のスリットに差し込まれて、薬液が両筒状部材間を流通自在となる中空針が軸線方向に沿って内部に設けられていることを特徴とする請求項１記載の医療用コネクタ。
【請求項３】
前記医療用コネクタは、別体である第３筒状部材を備え、
該第３筒状部材の先端部外周面には、軸方向に延びて突出し、先端部に前記第２突起部と係合する第３係合孔を備える一対の第３接続片が設けられ、
両第３接続片の間の第３筒状部材の先端部外周面には、前記第２接続片を案内しながら差込自在な一対の第３案内溝部が形成され、
両第３案内溝部の後部には、先端部内側に前記第２係合孔と係合する第３突起部を備える一対の第３係合片が、第３支持部を介して第３筒状部材の基端部外周面に揺動自在に設けられ、
該第３筒状部材の内部には、内部を閉塞する充填部材が設けられ、
第２・第３接続片がそれぞれ第３・第２案内溝部に差し込まれ、第２・第３突起部がそれぞれ第３・第２係合孔と係合することにより、第２・第３筒状部材が互いにロックされると共に、中空針が前記充填部材に挿入され、
各第２・第３係合片の基端部を押圧することにより、各第２・第３支持部を支点として各第２・第３突起部がそれぞれ第３・第２係合孔から抜け出し、ロックが解除されることを特徴とする請求項２記載の医療用コネクタ。
【発明の詳細な説明】
【０００１】
【発明の属する技術分野】
本発明は、例えば、医療用チューブ同士を接続する医療用コネクタに関する。
【０００２】
【従来の技術】
従来、例えば医療に用いられる２つのチューブ同士を接続するコネクタとして、留置針が接続されたチューブを基端に備える第１筒状部材と、輸液バックが接続されたチューブを基端に備える第２筒状部材とからなる医療用コネクタが知られている（例えば、特許文献１参照。）。
【０００３】
このような医療用コネクタの第１筒状部材には、係合溝又は係合孔が設けられている。また、第２筒状部材の外周面には、先端に、係合溝又は係合孔と係合する突起部が形成された一対の係合片が支持部を介してそれぞれ設けられている。該医療用コネクタは、突起部と係合溝又は係合孔とが係合することによりロックされる。そして、両係合片の基端部を押圧することにより、各支持部を支点として両突起部が係合溝部又は係合孔から抜け出し、ロックが解除される。
【０００４】
しかしながら、このような一対のロック手段のみで構成されるコネクタの場合、誤って使用者等が意図せずにロックが解除されるという問題があった。
【０００５】
【特許文献１】
特公昭６２−４３６９７号公報（第５−６頁、第５図、第６図）
【０００６】
【発明が解決しようとする課題】
本発明は上記背景を鑑みてなされたものであり、誤って使用者等が意図せずにロックが解除されることを防止した医療用コネクタを提供することを目的とする。
【０００７】
【課題を解決するための手段】
上記目的を達成するため、本発明の医療用コネクタは、留置針などが接続されたチューブを基端に備える第１筒状部材と、輸液バックなどが接続されたチューブを基端に備える第２筒状部材とからなる医療用コネクタの改良に関する。
【０００８】
本発明は、該第１筒状部材の先端部外周面には、軸方向に延びて突出し、先端部に第１係合孔を備える一対の第１接続片が設けられ、両第１接続片の間の第１筒状部材の先端部外周面には、一対の第１案内溝部が形成され、両第１案内溝部の後部には、先端部内側に第１突起部を備える一対の第１係合片が第１支持部を介して第１筒状部材の基端部外周面に揺動自在に設けられ、前記第２筒状部材の先端部外周面には、軸方向に延びて突出し、先端部に第１突起部と係合する第２係合孔を備え、両第１案内溝部に案内されながら差し込まれる一対の第２接続片が設けられ、両第２接続片の間の第２筒状部材の先端部外周面には、第１接続片を案内しながら差込自在な一対の第２案内溝部が設けられ、両第２案内溝部の後部には、先端部内側に第１係合孔と係合する第２突起部を備える一対の第２係合片が第２支持部を介して第２筒状部材の基端部外周面に揺動自在に設けられる。
【０００９】
そして、第１・第２接続片がそれぞれ第２・第１案内溝部に差し込まれ、第１・第２突起部がそれぞれ第２・第１係合孔と係合することにより、第１・第２筒状部材が互いにロックされ、各第１・第２係合片の基端部を押圧することにより、各第１・第２支持部を支点として各第１・第２突起部がそれぞれ第２・第１係合孔から抜け出し、ロックが解除されることを特徴とする。
【００１０】
かかる発明によれば、第１・第２筒状部材にそれぞれ設けられた第１突起部と第２係合孔とからなる一対のロック手段、及び、第１係合孔と第２突起部とからなる一対のロック手段とで、第１・第２筒状部材が互いにロックされている。このため、誤って使用者等が、一方のロック手段を解除してしまった場合であっても、他方のロック手段により医療用コネクタの接続がロックされているため、医療用コネクタの接続が解除されない。
【００１１】
また、第１・第２筒状部材にそれぞれ設けられた第１接続片が第２案内溝へ、及び、第２接続片が第１案内溝へ、それぞれ差し込まれる。これにより、各筒状部材が長手方向を軸に回転する力が加わって、各突起部がそれぞれの係合孔から抜け出し、ロックが解除されることを防止することができる。
【００１２】
また、本発明の医療用コネクタは、前記第１筒状部材には、スリットを有する弁部材が内部に設けられ、前記第２筒状部材には、該弁部材のスリットに差し込まれて、薬液が両筒状部材間を流通自在となる中空針が軸線方向に沿って内部に設けられていることが好ましい。
【００１３】
これにより、第１筒状部材に、スリットを有する弁部材を設けることによって、中空針が弁部材のスリットに差し込まれているとき以外は、弁部材により第１筒状部材は液密となり、第１筒状部材からチューブ、留置針を介して患者の人体に予期しない液体等が流入することを防止することができる。
【００１４】
さらに、本発明の医療用コネクタは、別体である第３筒状部材を備え、該第３筒状部材の先端部外周面には、軸方向に延びて突出し、先端部に前記第２突起部と係合する第３係合孔を備える一対の第３接続片が設けられ、両第３接続片の間の第３筒状部材の先端部外周面には、前記第２接続片を案内しながら差込自在な一対の第３案内溝部が形成され、両第３案内溝部の後部には、先端部内側に前記第２係合孔と係合する第３突起部を備える一対の第３係合片が、第３支持部を介して第３筒状部材の基端部外周面に揺動自在に設けられ、該第３筒状部材の内部には、内部を閉塞する充填部材が設けられることが好ましい。
【００１５】
そして、第２・第３接続片がそれぞれ第３・第２案内溝部に差し込まれ、第２・第３突起部がそれぞれ第３・第２係合孔と係合することにより、第２・第３筒状部材が互いにロックされると共に、中空針が前記充填部材に挿入され、各第２・第３係合片の後方部を押圧することにより、各第２・第３支持部を支点として各第２・第３突起部がそれぞれ第３・第２係合孔から抜け出し、ロックが解除される構成とすることが好ましい。
【００１６】
第１筒状部材と第２筒状部材とを接続していない間、第３筒状部材により第２筒状部材の中空針を包み込むことにより、中空針の汚染を防止することができる。
【００１７】
【発明の実施の形態】
本発明の実施の形態を図１から図９を参照して説明する。図１は、本発明の一実施形態に係る医療用コネクタの全体図、図２は、図１の医療用コネクタ部分の拡大図、図３は、図２の医療用コネクタの説明的断面図、図４は、図２の医療用コネクタを接続した場合の説明図、図５は、図４の医療用コネクタの説明的断面図、図６は、キャップと第２筒状部材との拡大図、図７は、図６のキャップと第２筒状部材との説明的断面図、図８は、図６のキャップと第２筒状部材とを接続した場合を示す説明図、図９は、図８のキャップと第２筒状部材との説明的断面図である。
【００１８】
本実施形態の医療用コネクタは、図１に示すように、第１筒状部材１と、第２筒状部材２と、第３筒状部材としてのキャップ３とからなる。第１筒状部材１の基端には、チューブ４を介して、翼付留置針５が連設されている。また、第２筒状部材２の基端には、チューブ６と滴下室７とを介して、輸液バック８が連設されている。また、第２筒状部材２の先端には、先端に刃先を有する中空針９が突出して設けられている。点滴を行う際には、第１筒状部材１と第２筒状部材２とを接続する。点滴を行わない間は、キャップ３と第２筒状部材２とを接続して、中空針９を保護すると共に衛生を保つ。
【００１９】
次いで、本実施形態の医療用コネクタを、図２、図３を参照して、さらに詳しく説明する。ここで、図２（ａ）は図１の医療用コネクタの拡大図、図２（ｂ）は図２（ａ）の医療用コネクタを、長手方向を軸に９０°回転させたものである。
【００２０】
図２（ａ）、（ｂ）に示すように、第１筒状部材１の先端部外周面には、一対の第１接続片１０ａが軸方向に突出して設けられている。両第１接続片１０ａの先端部には、略長方形状の第１係合孔１１ａがそれぞれ形成されている。両第１接続片１０ａの間の第１筒状部材１の先端部外周面には、一対の第１案内溝部１２ａが形成される。両第１案内溝部１２ａの後部には、一対の第１係合片１３ａが設けられている。両第１係合片１３ａは、一対の第１支持部１４ａを介して揺動自在に、それぞれ第１筒状部材１に連設されている。両第１係合片１３ａの先端部内側には、第１突起部１５ａがそれぞれ形成されている。両第１突起部１５ａは、先端がテーパー状で、基端が医療用コネクタの長手方向に対して垂直な面で形成されている。
【００２１】
図３（ａ）、（ｂ）は、図２（ａ）、（ｂ）それぞれの断面図である。図３（ａ）、（ｂ）に示すように、第１筒状部材１は、基端面から長手方向に次第に縮径して連設する円柱孔部１ａを備える。円柱孔部１ａの先端には、次第に縮径して連設する小径円柱孔部１ｂを備える。小径円柱孔部１ｂの先端には、次第に拡径して連設する大径円柱孔部１ｃを備える。大径円柱孔部１ｃの先端は、第１筒状部材１の先端面に達し、開口している。
【００２２】
チューブ４は、第１筒状部材１の基端から円柱孔部１ａを介し、小径円柱孔部１ｂまで差し込まれる。そして、第１筒状部材１とチューブ４との間隙に流し込まれた接着剤１９ａにより接着される。また、第１筒状部材１の先端方向から、中空針９から流れ出た薬液をチューブ４へ案内する案内部材１６が、チューブ４へ差し込まれ、接着される。案内部材１６は、基端に形成された筒状部と、筒状部先端から円錐状に拡径しながら延びるテーパー部とからなる。案内部材１６の筒状部が、チューブ４へ差し込まれ、接着される。案内部材１６のテーパー部は、小径円柱孔部１ｂから大径円柱孔部１ｃへ連設する間の拡径部に係止される。
【００２３】
さらに、中央部にスリット１７ａが形成された円盤状の弁部材１７が第１筒状部材１の先端方向から大径円柱孔部１ｃへ液密に差し込まれる。そして、中空針９の外径よりも大きい径の孔部が中央に形成された円盤状の蓋部材１８ａが、第１筒状部材１の先端方向から大径円柱孔部１ｃへ挿入され、接着される。
【００２４】
第２筒状部材２は、円柱孔部２ａの長手方向の長さが円柱孔部１ａよりも短く、大径円柱孔部２ｃの長手方向の長さが大径円柱孔部１ｃよりも長い。また、案内部材と弁部材とが設けられておらず、中空針９が設けられている。上記以外の第２筒状部材２の構成は、第１筒状部材１と同一である。
【００２５】
中空針９の基端部は、チューブ６の先端から挿入され、接着される。中空針９とチューブ６とは、第２筒状部材２の基端から挿入される。また、大径円柱孔部２ｃには、中空針９の外径よりも大きい径の孔部が中央に形成された蓋部材１８ｂが、先端方向から挿入される。中空針９の先端は、蓋部材１８ｂの孔部を通過し、第２筒状部材２の先端から突出して、かつ、両接続片１０ｂの間に配置される。チューブ６の先端は、蓋部材１８ｂに接触する。チューブ６は、第２筒状部材２の基端から第２筒状部材とチューブ６との間隙へ流し込まれた接着剤１９ｂにより、第２筒状部材２と接着される。また、蓋部材１８ｂは、第２筒状部材２の先端から大径円柱孔部２ｃへ流し込まれた接着剤１９ｃにより、第２筒状部材２と接着される。
【００２６】
次いで、図２、図４、図５を参照して、本実施形態における医療用コネクタを接続した場合について説明する。
【００２７】
本実施形態における医療用コネクタを接続する際には、図２（ａ）、（ｂ）に示すように、第１筒状部材１の両接続片１０ａをそれぞれ対応する第２筒状部材２の案内溝部１２ｂへ挿入する。また同時に、第２筒状部材２の両接続片１０ｂをそれぞれ対応する第１筒状部材１の案内溝部１２ａへ挿入する。第１筒状部材１の両突起部１５ａは、先端がテーパー状の面で形成されているため、図４（ａ）に破線で示すように、第２筒状部材２の各接続片１０ｂの先端部外側面に乗り上げ、その後、実線で示すように、各第２筒状部材２の孔部１１ｂに差し込まれる。同様に、図４（ｂ）に破線で示すように、第２筒状部材２の両突起部１５ｂは、先端にテーパー状の面が形成されているため、第１筒状部材１の各接続片１０ａの先端部外側面に乗り上げ、その後、実線で示すように、各第１筒状部材１の孔部１１ａに差し込まれる。これにより、本実施形態における医療用コネクタは、ロックされる。
【００２８】
図５（ａ）、（ｂ）は、図４（ａ）、（ｂ）の断面図である。中空針９の先端は、蓋部材１８ａの孔部を通過し、弁部材１７のスリット１７ａを介して案内部材１６内に挿入される。
【００２９】
本実施形態に係る医療用コネクタのロックを解除するには、図４（ａ）、（ｂ）に破線で示すように、第１筒状部材１の両第１係合片１３ａと、第２筒状部材２の両第２係合片１３ｂとの後端を同時に押圧する。すると、各突起部１５ａ、１５ｂが、第１筒状部材１の各支持部１４ａと、第２筒状部材２の各支持部１４ｂとを支点として、それぞれ対応する孔部１１ｂ、１１ａから抜け出す。そして、第１筒状部材１と、第２筒状部材２とをそれぞれ基端方向へ引張することにより、本実施形態のコネクタの接続が解除される。
【００３０】
次に、キャップ３について、図６〜図９を参照して、詳しく説明する。
【００３１】
キャップ３は、図６、図７に示すように、チューブと中空針とが設けられておらず、内部に充填部材２０が充填されている以外は、第２筒状部材２と同一の構成である。図７（ａ）、（ｂ）に示すように、例えばゴムからなる充填部材２０は、キャップ３の大径円柱孔部３ｃの内径と同径の円柱状に形成されている。充填部材２０は、キャップ３の先端から大径円柱孔部３ｃへ挿入される。充填部材２０は、第３小径円柱孔部３ｂから大径円柱孔部３ｃへ次第に拡径する拡径部に係止される。また、蓋部材１８ｃを、キャップ３の先端方向から、大径円柱孔部３ｃに挿入し接着される。充填部材２０は、第３小径円柱孔部３ｂから大径円柱孔部３ｃへ次第に拡径する拡径部と、蓋部材１８ｃとにより挟まれ保持される。
【００３２】
また、キャップ３を第２筒状部材２に装着した場合を、図８、図９に示す。キャップ３を第２筒状部材２に装着する動作は、第１筒状部材１と第２筒状部材２とを接続する動作と全く同様であるため、ここでの説明は省略する。キャップ３と第２筒状部材２とを接続すると、図９（ａ）、（ｂ）に示すように、中空針９先端の刃先は充填部材２０に完全に包まれる。なお、キャップ３を第２筒状部材２から取り外す動作も、第１筒状部材１と第２筒状部材２との接続を解除する動作と全く同様であるため、ここでの説明は省略する。
【００３３】
本実施形態の医療用コネクタによれば、図４（ａ）、（ｂ）に示すように、第１・第２係合片１３ａ、１３ｂを同時に押圧しなければ、ロックを解除できないため、誤って使用者等が意図せずにコネクタの接続を解除する虞が軽減される。また、本実施形態の医療用コネクタによれば、各第１・第２接続片１０ａ、１０ｂがそれぞれ案内溝部１２ｂ、１２ａに係合するため、第１・第２筒状部材１、２がそれぞれ長手方向を軸に相対的に回転することを防止し、回転によるロック解除を防止することができる。
【図面の簡単な説明】
【図１】本発明の一実施形態に係る医療用コネクタの全体図。
【図２】図１の医療用コネクタ部分の拡大図。
【図３】図２の医療用コネクタの説明的断面図。
【図４】図２の医療用コネクタを接続した場合の説明図。
【図５】図４の医療用コネクタの説明的断面図。
【図６】キャップと第２筒状部材との拡大図。
【図７】図６のキャップと第２筒状部材との説明的断面図。
【図８】図６のキャップと第２筒状部材とを接続した場合を示す説明図。
【図９】図８のキャップと第２筒状部材との説明的断面図。
【符号の説明】
１…第１筒状部材、  ２…第２筒状部材、  ３…キャップ、  ９…中空針、  １０…接続片、  １１…係合孔、  １２…案内溝部、  １３…係合片、  １４…支持部、  １５…突起部、  １６…案内部材、  １７…弁部材、  １８…蓋部材、１９…接着剤、  ２０…充填部材。
【図１】
2004167105.tif 000003
【図２】
2004167105.tif 000004
【図３】
2004167105.tif 000005
【図４】
2004167105.tif 000006
【図５】
2004167105.tif 000007
【図６】
2004167105.tif 000008
【図７】
2004167105.tif 000009
【図８】
2004167105.tif 000010
【図９】
2004167105.tif 000011